(57)【特許請求の範囲】
【請求項１】
光ファイバ（１１ａ）をコネクタ接続可能に成端する光コネクタ（９１）が横並びに複数配列設置されている成端ユニット（１３、１３ａ〜１３ｄ）が上下方向に配列して複数設けられた成端ユニット搭載部（１４）と、この成端ユニット搭載部の下側に設けられ、前記成端ユニットの光コネクタに対してコネクタ接続される光ファイバ（１２ａ）が導入される導入部（１５）と、前記成端ユニット搭載部の側部に沿って、前記成端ユニット搭載部に設けられている複数の成端ユニットに対応させて上下方向に配列して複数設けられた引っ掛け部材（６１、６１ａ〜６１ｄ）とを有し、
前記引っ掛け部材はそれぞれ対応する成端ユニットの側部の配線ステージ（３１）よりも上側となるように配置されており、しかも、上側の引っ掛け部材からより下側に位置する引っ掛け部材に行くにしたがって、順次、引っ掛け部材と該引っ掛け部材に対応する成端ユニットの配線ステージとの高さの差が拡大するように配列され、
各配線ステージ付近には、前記引っ掛け部材に引っ掛けて前記成端ユニットと前記導入部との間に配線して前記成端ユニットに引き込まれる光ファイバの余長を湾曲処理する余長吸収部（６２）が設けられていることを特徴とする光配線盤（１０）。
【請求項２】
前記引っ掛け部材は、前記成端ユニットの配列ピッチよりも短いピッチで上下方向に配列されていることを特徴とする請求項１記載の光配線盤。
【請求項３】
前記余長吸収部が、前記光ファイバの余長を、前記引っ掛け部材（６１）と前記配線ステージ（３１）との間にて、前記引っ掛け部材（６１）と前記配線ステージ（３１）とから下方へ垂れ下げるようにして湾曲配線して、湾曲処理するための空間であり、成端ユニット毎に設けられていることを特徴とする請求項１又は２記載の光配線盤。
【請求項４】
前記導入部には、該導入部から導入された光ファイバを引っ掛ける導入側引っ掛け部材（５４、５５）が該導入部に横並びに配列された前記光ファイバに対応して横並びに複数配列設置され、前記導入側引っ掛け部材と前記引っ掛け部材とに引っ掛けて前記導入側引っ掛け部材と前記引っ掛け部材との間に配線された光ファイバの余長を湾曲処理する下部余長吸収部（２０）が前記導入部の側部付近に設けられていることを特徴とする請求項１〜３のいずれかに記載の光配線盤。
【請求項５】
導入部から導入された前記光ファイバの長さがほぼ一律に揃えられていることを特徴とする請求項１〜４のいずれかに記載の光配線盤。
【発明の詳細な説明】
【０００１】
【発明の属する技術分野】
本発明は光配線盤に係り、特に、導入部から導入されて該光配線盤内の複数の光コネクタに選択的にコネクタ接続される光ファイバの長さをほぼ一律に揃えることが可能な光配線盤に関する。
【０００２】
【従来の技術】
図６は、従来例の光配線盤１を示す。図６において、この光配線盤１は、外線光ファイバケーブルＣ端末（図示略）から引き出した光ファイバをコネクタ接続可能に成端した光コネクタアダプタ２ａが横並びに複数配列設置されている成端ユニット２をラック本体３内に上下に多段に搭載している。図６中、符号５は、伝送装置と接続されている光ファイバ４（光ファイバコード）を収納したコードケーブルであり、その端末は、前記ラック本体３下部に設けられている導入部６に引き込んで該導入部６内の固定具（図示略）によって固定されている。コードケーブル５端末に口出しされた光ファイバ４は、光コネクタ４ａによってコネクタ接続可能に成端された光ファイバコードである。この光配線盤１では、前記光ファイバ４先端を成端ユニット２に引き込んで光コネクタアダプタ２ａにコネクタ接続することで、光ファイバケーブルＣ側の光ファイバと伝送装置側の光ファイバ４とが接続される。前記光ファイバ４は、成端ユニット２が多段に搭載されているユニット搭載部７の側部に確保された空間である配線領域８内での引き回しによって成端ユニット２に引き込んで、その先端を目的の光コネクタアダプタ２ａに接続する。光ファイバ４先端の光コネクタ４ａは光コネクタアダプタ２ａに対して着脱自在であり、光コネクタアダプタ２ａに対して光ファイバ４の接続を切り替えることで、光ファイバケーブルＣ側の光ファイバに対する光ファイバ４の接続を切り替えることができる。
ラック本体３等に固定して配線領域８内にて上下方向の複数箇所に設けられたガイド部材９は、光ファイバ４が上下方向に引き通すようにして配線されるとともに、この光ファイバ４をラック本体３の側壁部付近に保持するようになっており、配線領域８では、導入部６から引き上げるようにして引き込まれた多数本の光ファイバ４が、前記ガイド部材９によってラック本体３の側壁部付近に保持されて前記側壁部に沿って上下方向に配線されている。
【０００３】
【発明が解決しようとする課題】
ところで、前述のような光配線盤１では、導入部６から成端ユニット２の光コネクタアダプタ２ａまでの配線に必要な光ファイバ４の配線長（配線ルートの長さ）が異なるため、これに対応するべく、導入部６に複数本固定されているコードケーブル５端末からの光ファイバ４の口出し長が数種類に異なっていることが一般的である。しかし、これでは、光ファイバ４の口出し長が異なる複数種類のコードケーブル５を用意する必要があるため、光配線盤１の組み立て作業能率の向上や低コスト化の妨げになっていた。
【０００４】
一方、光ファイバ４のコードケーブル５端末からの口出し長を一定に揃えるとなると、必要となる最も長い配線長に対応できるように光ファイバ４の口出し長を揃えることになり、光配線盤内に長い光ファイバ４が多数本配線されることになるが、前述のような光配線盤１では、導入部６から成端ユニット２の光コネクタアダプタ２ａまでの光ファイバ４の配線長の違いに対応して光ファイバ４の余長処理や取り出し等を効率良く行えるようにするための構成が無いため、光ファイバ４の配線、切り替え接続、取り出し等の作業性の低下、これら作業に伴う余長処理作業の能率低下が避けられない。
【０００５】
本発明は、前記課題に鑑みて、導入部から導入されて成端ユニット搭載部に設けられている光コネクタに対してコネクタ接続される光ファイバの余長処理を、導入部から光コネクタまでの配線長の違いに対応して効率良く行うことができ、、しかも、配線、切り替え接続、取り出し等の作業性を向上できる光配線盤の提供を目的とする。
【０００６】
【課題を解決するための手段】
上記課題を解決するために本発明は以下の構成を解決手段とした。
請求項１記載の発明の光配線盤は、光ファイバをコネクタ接続可能に成端する光コネクタが横並びに複数配列設置されている成端ユニットが上下方向に配列して複数設けられた成端ユニット搭載部と、この成端ユニット搭載部の下側に設けられ、前記成端ユニットの光コネクタに対してコネクタ接続される光ファイバが導入される導入部と、前記成端ユニット搭載部の側部に沿って、前記成端ユニット搭載部に設けられている複数の成端ユニットに対応させて上下方向に配列して複数設けられた引っ掛け部材とを有し、前記引っ掛け部材はそれぞれ対応する成端ユニットの側部の配線ステージよりも上側となるように配置されており、しかも、上側の引っ掛け部材からより下側に位置する引っ掛け部材に行くにしたがって、順次、引っ掛け部材と該引っ掛け部材に対応する成端ユニットの配線ステージとの高さの差が拡大するように配列され、各配線ステージ付近には、前記引っ掛け部材に引っ掛けて前記成端ユニットと前記導入部との間に配線して前記成端ユニットに引き込まれる光ファイバの余長を湾曲処理する余長吸収部が設けられていることを特徴とする。
請求項２記載の発明は、請求項１記載の光配線盤において、前記引っ掛け部材は、前記成端ユニットの配列ピッチよりも短いピッチで上下方向に配列されていることを特徴とする。
請求項３記載の発明は、請求項１又は２記載の光配線盤において、前記余長吸収部が、前記光ファイバの余長を、前記引っ掛け部材（６１）と前記配線ステージ（３１）との間にて、前記引っ掛け部材（６１）と前記配線ステージ（３１）とから下方へ垂れ下げるようにして湾曲配線して、湾曲処理するための空間であり、成端ユニット毎に設けられていることを特徴とする。
請求項４記載の発明は、請求項１〜３のいずれかに記載の光配線盤において、前記導入部には、該導入部から導入された光ファイバを引っ掛ける導入側引っ掛け部材が該導入部に横並びに配列された前記光ファイバに対応して横並びに複数配列設置され、前記導入側引っ掛け部材と前記引っ掛け部材とに引っ掛けて前記導入側引っ掛け部材と前記引っ掛け部材との間に配線された光ファイバの余長を湾曲処理する下部余長吸収部が前記導入部の側部付近に設けられていることを特徴とする。
請求項５記載の発明は、請求項１〜４のいずれかに記載の光配線盤において、導入部から導入された前記光ファイバの長さがほぼ一律に揃えられていることを特徴とする。
【０００７】
【発明の実施の形態】
以下、本発明の実施の形態を、図面を参照して説明する。
図１〜図３は、本発明の実施の形態の光配線盤１０を示す図であって、図１は正面図、図２は図１のＡ−Ａ線断面矢視図、図３は図１のＢ−Ｂ線断面矢視図である。
なお、以下、図１紙面手前側（図２左側、図３右側）を作業面側、これに対向する側を背面側と称することとする。また、この光配線盤１０は、床上に設置されるようになっており、以下、図１〜図４において紙面上側を「上」、紙面下側を「下」として説明する。
【０００８】
図１〜図３において、符号１１は光ファイバケーブル、１２はコードケーブルである。
光配線盤１０は、成端ユニット１３が上下方向に配列して複数設けられた成端ユニット搭載部１４と、この成端ユニット搭載部１４の下側に設けられ、前記コードケーブル１２が導入される導入部１５と、前記成端ユニット搭載部１４の側部に沿って確保された空間である配線領域１６とをラック本体１７内に有して構成されている。
【０００９】
図３に示すように、前記光ファイバケーブル１１は、光配線盤１０の背面側に確保されたケーブル導入部１８に引き込まれており、成端ユニット搭載部１４の背面板１４ａ（図３、図５参照）等に取り付けられたケーブル固定具（図示略）に固定されている。ケーブル導入部１８に引き込まれた光ファイバケーブル１１の端末に口出しされている複数本の光ファイバ１１ａは、ケーブル導入部１８内での引き回し等によって目的の成端ユニット１３に配線されている。
【００１０】
図４は成端ユニット１３を示す正面図、図５は成端ユニット１３の配線ステージ３１付近を示す平面図である。
図３〜図５に示すように、成端ユニット１３は、枠状のユニットフレーム３２と、このユニットフレーム３２の下部から作業面側に突出された配線ダクト３３と、前記ユニットフレーム３２の前記配線領域１６に臨む側部に取り付けられた前記配線ステージ３１とを有し、ラック本体１５の構成部材や背面板１４ａに固定して搭載されている。なお、この成端ユニット１３は、ラック本体１５の構成部材や背面板１４ａに対して、全体を一体的に着脱できるようになっている。ユニットフレーム３２の正面視左右（作業面側から見て左右）両側には、ラック本体１５の構成部材や背面板１４ａに対するボルト固定用の固定フランジ３２ａが張り出されている。
【００１１】
前記ユニットフレーム３２の内側には、外観薄板状のケースである光モジュール１９が縦置きにして複数横並びに配列収納される。前記光モジュール１９は、光コネクタ９１が突出状態に取り付けられている一端部を作業面側に向けた状態で、ユニットフレーム３２の底板３２ｂ上に設置される。ユニットフレーム３２内に収納された光モジュール１９は、ユニットフレーム３２から作業面側に引き出し可能である。
なお、ユニットフレーム３２内側では、ユニットフレーム３２の底板３２ｂ及び天板３２ｃに形成された突片（図示略）等の支持手段によって、光モジュール１９を１枚ずつ単独で縦置き状態に支持できるようになっている。但し、この支持手段は、ユニットフレーム３２内への光モジュール１９の挿入や、ユニットフレーム３２から作業面側への光モジュール１９の引き出しの障害にはならない。
【００１２】
成端ユニット１３に設けられた各光モジュール１９には、光ファイバケーブル１１の前記光ファイバ１１ａが引き込まれており、該光ファイバ１１ａの余長が湾曲収納されている。光モジュール１９の光コネクタ９１は、前記光ファイバ１１ａをコネクタ接続可能に成端（以下「コネクタ接続可能に成端」を「コネクタ成端」と略称する場合がある）するものであり、光モジュール１９内側から、前記光ファイバ１１ａが直接、あるいは光モジュール１９に内蔵の光ファイバを介して接続される。
本実施の形態では、光コネクタ９１は具体的には光コネクタアダプタであり、以下、光コネクタ９１を「光コネクタアダプタ」と称する場合がある。この光モジュール１９では、光コネクタアダプタ９１に光モジュール１９内側から接続されている光ファイバ（図示略）と光ファイバケーブル１１側の光ファイバ１１ａとの接続（融着接続等）によって、光ファイバ１１ａが光コネクタアダプタ９１によってコネクタ成端されている。但し、本発明に係る光コネクタ９１としては、光コネクタアダプタに限定されず、光コネクタレセプタクル等、各種構成が採用可能である。
【００１３】
図１等において、前記コードケーブル１２は、光ファイバコードを樹脂製の外皮の内側に収納した構成であり、その端末には、先端が光コネクタ１２ｂによってコネクタ成端された光ファイバ１２ａ（光ファイバコード）が口出しされている。このコードケーブル１２は、光配線盤１０の下部の導入部１５に引き込まれており、その端末が、導入部１５に取り付けられているケーブル固定具５１によって固定されている。
【００１４】
光ファイバ１２ａは、請求項１記載の発明における、「成端ユニットの光コネクタに対してコネクタ接続される光ファイバ」に相当する。
なお、光ファイバ１２ａは、ここではコードケーブル１２として導入部１５に導入された光ファイバコードであるが、本発明ではこれに限定されず、前記コードケーブル１２等の光ファイバケーブルを介さずに直接、導入部１５から引き込まれる光ファイバコード等の光ファイバであっても良い。光ファイバ１２ａとしては光ファイバコードに限定されず、例えば、光ファイバ心線等、各種光ファイバが採用可能である。
また、本実施の形態の光ファイバ１２ａは伝送装置に対して光接続されている光ファイバであるが、本発明ではこれに限定されず、例えば、別の外線光ファイバケーブルの光回線に係る光ファイバ等であっても良い。
【００１５】
導入部１５に固定されたコードケーブル１２端末に口出しされている光ファイバ１２ａは、導入部１５から配線領域１６を経由して目的の成端ユニット１３に引き込まれ、この成端ユニット１３内の光モジュール１９の光コネクタ９１にコネクタ接続される。これにより、伝送装置側の光ファイバ１２ａと、光ファイバケーブル１１側の光ファイバ１１ａとが光接続される。なお、ここでは、コードケーブル１２端末からの光ファイバ１２ａの口出し長は、導入部１５に固定されたコードケーブル１２端末から成端ユニット搭載部１４内の光コネクタアダプタ９１までの配線ルートの内の最も長いものを基準として、充分な余長を確保して配線できる長さで一定に揃えられている。なお、本発明（請求項３記載の発明）において、光ファイバ１２ａの長さがほぼ一律とは、光ファイバ１２ａの設定長（導入部１５に固定されたコードケーブル１２端末から光コネクタアダプタ９１までの配線ルートの最も長いものを基準として、充分な余長を確保して配線できることを条件として設定した、使用する光ファイバ１２ａの長さ）よりも長さが最大１０％程度長いものが含まれていても良いことを指す。
【００１６】
ここで、コネクタ接続とは、光ファイバ１２ａ先端の光コネクタ１２ｂと光モジュール１９側の光コネクタ９１（光コネクタアダプタ）との着脱可能な接続である。導入部１５側の光ファイバ１２ａは、成端ユニット搭載部１４内に存在する光コネクタ９１に対して、その先端の光コネクタ１２ｂによって切り替え接続可能になっており、光コネクタ９１に対する光ファイバ１２ａの接続を切り替えることで、光ファイバ１１ａ、１２ａ同士の接続が切り替わる。ここで図４等に図示した光コネクタアダプタ９１は、作業面側から光コネクタ１１ｂがコネクタ接続される単位光コネクタアダプタ９１ａが多連に配列された構成であり、光コネクタアダプタ９１に対する光ファイバ１２ａのコネクタ接続、切り替え接続は、詳細には単位光コネクタアダプタ９１ａ単位で行われる。
なお、光モジュール１９の光コネクタ９１や光ファイバ１２ａ先端の光コネクタ１２ｂ（光コネクタプラグ）としては、単心用、多心用のいずれでも良く、単心用としては例えばＪＩＳ  Ｃ  ５９７３に制定されるＳＣ形光コネクタ（ＳＣ：Single fiberCoupling optical fiber connector）等、多心用としては例えばＪＩＳ  Ｃ  ５９８２に制定されるＭＰＯ形光コネクタ（ＭＰＯ:MultifiberPush-On）等を採用できる。
【００１７】
配線領域１６には、前記光ファイバ１２ａを引っ掛けるための引っ掛け部材６１が、ラック本体１７の構成部材（柱など）等に固定して前記成端ユニット搭載部１４の側部に沿って上下方向に多段に設けられている。これら引っ掛け部材６１は、前記成端ユニット搭載部１４に設けられている複数の成端ユニット１３に対応させて上下方向に配列して設けられている。つまり、成端ユニット搭載部１４に搭載されている最上段の成端ユニット１３（区別のため、図１中符号１３ａを付した）と最上段の引っ掛け部材６１（区別のため、図１中符号６１ａを付した）、上から２段目の成端ユニット１３と（区別のため、図１中符号１３ｂを付した）と上から２段目の引っ掛け部材６１（区別のため、図１中符号６１ｂを付した）、上から３段目の成端ユニット１３ｃ（１３）と上から３段目の引っ掛け部材６１ｃ（６１）、上から４段目の成端ユニット１３ｄ（１３）と上から４段目の引っ掛け部材６１ｃ（６１）が対応しており、これら成端ユニット１３ａ〜１３ｄ及び引っ掛け部材６１ａ〜６１ｄには、対応関係を識別するための表示（図示略）が設けられている。
【００１８】
配線領域１６では、光ファイバ１２ａは、配線する目的の成端ユニット１３に対応する引っ掛け部材６１に引っ掛けて、この引っ掛け部材６１と目的の成端ユニット１３の配線ステージ３１との間に渡すようにして配線される。
しかも、配線領域１６に設けられている前記引っ掛け部材６１は、前記成端ユニット１３の配列ピッチよりも短い配列ピッチ（具体的には成端ユニット１３の配列ピッチの半分程度）で配列して、それぞれ対応する成端ユニット１３の側部の配線ステージ３１よりも上側となるように配置されており、各引っ掛け部材６１には、該引っ掛け部材６１に対応する成端ユニット１３の配線ステージと導入部１５との間に配線された光ファイバ１２ａ（余長）が上方に引き上げるようにして引っ掛けられる。これにより、導入部１５から各成端ユニット１３（詳細には配線ステージ３１）までの距離の違いに起因する光ファイバ１２ａの余長の長さの差が、引っ掛け部材６１を経由した配線ルートによって吸収される。
【００１９】
ここでは、隣り合う成端ユニット１３間の配列ピッチは一定であり、隣り合う引っ掛け部材６１間の配列ピッチも一定である。然るに、引っ掛け部材６１の配列は、配列の上側の引っ掛け部材６１からより下側に位置する引っ掛け部材６１に行くにしたがって、順次、引っ掛け部材６１と該引っ掛け部材６１に対応する成端ユニット１３の配線ステージ３１との高さの差が拡大するようになっており、これにより、導入部１５から各成端ユニット１３（詳細には配線ステージ３１）までの距離に起因する光ファイバ１２ａの配線長（配線ルートの長さ）の差が効果的に吸収されるようになっている。
【００２０】
なお、本発明では、必ずしも、隣り合う成端ユニット１３間の配列ピッチが一定であったり、隣り合う引っ掛け部材６１間の配列ピッチが一定であったりする必要は無い。また、引っ掛け部材の配列が、配列の上側の引っ掛け部材からより下側に位置する引っ掛け部材に行くにしたがって、順次、引っ掛け部材と該引っ掛け部材に対応する成端ユニットの配線ステージとの高さの差が拡大するようになっていれば、導入部１５から各成端ユニット１３（詳細には配線ステージ３１）までの距離に起因する光ファイバ１２ａの配線長（配線ルートの長さ）の差を吸収できる。
【００２１】
図４、図５に示すように、成端ユニット１３に引き込まれた光ファイバ１２ａは、配線ステージ３１から、成端ユニット１３の作業面側にてユニットフレーム３２の底板３２ｂに沿って延在する配線ダクト３３に配線され、この配線ダクト３３から引き上げるようにして、目的の光モジュール１９の光コネクタアダプタ９１に接続される。
図５において、ユニットフレーム３２の下部から配線ダクト３３上に突出された整列具３４は、光モジュール１９の光コネクタアダプタ９１と配線ダクト３３との間に配線された光ファイバ１２ａを光モジュール１９単位で纏めた状態に保持する治具である。この整列具３４は、図３にも図示している。但し、図４等では、整列具３４の図示を省略している。
【００２２】
ところで、成端ユニット１３に横並びに配列されている光モジュール１９の光コネクタアダプタ９１に、成端ユニット１３側部の配線ステージ３１から引き込んだ光ファイバ１２ａを接続する構成では、配線ステージ３１から目的の光コネクタアダプタ９１までの距離に対応して光ファイバ１２ａの配線長（配線ルートの長さ）が異なり、これに対応して光ファイバ１２ａの余長も異なってくる。
この光配線盤１０では、引っ掛け部材６１及び配線ステージ３１の背面側（図４紙面奥側、図５上側）に光ファイバ１２ａ（余長１２ｃ）の湾曲配線が可能な領域（湾曲配線領域。空間）である余長吸収部６２が確保されており、光ファイバ１２ａは、前記余長吸収部６２を経由して引っ掛け部材６１と配線ステージ３１との間に架け渡すようにして湾曲配線されるようになっている。そして、引っ掛け部材６１と配線ステージ３１とから下方へ垂れ下げるようにして湾曲配線される光ファイバ１２ａの配線長（余長吸収部６２内での配線長）によって、配線ステージ３１から目的の光コネクタアダプタ９１までの距離の違いに起因する光ファイバ１２ａの余長１２ｃの長さの違いが吸収される。
【００２３】
図２に示すように、引っ掛け部材６１は、ラック本体１７に固定された引っ掛け部材本体６３と、この引っ掛け部材本体６３上に取り付けられ、該引っ掛け部材本体６３上面上に配線された光ファイバ１２ａをクランプするクランプ部品６４とを有して構成されている。光ファイバ１２ａは、引っ掛け部材本体６３上面上に引っ掛けることで、引っ掛け部材６１上を経由して該引っ掛け部材６１の作業面側と背面側とに配線される。引っ掛け部材本体６３の上面は、光ファイバ１２ａに光特性に影響を与えるような急激な曲げを与えない湾曲形状に形成されており、この引っ掛け部材６１に引っ掛けられた光ファイバ１２ａは引っ掛け部材本体６３上面に沿って湾曲される。
なお、配線ステージ３１も、引っ掛け部材６１と同様に、光ファイバ１２ａが配線される上面が、光ファイバ１２ａに光特性に影響を与えるような急激な曲げを与えない湾曲形状に形成されている。
【００２４】
光ファイバ１２ａを導入部１５から目的の成端ユニット１３に引き込むには、導入部１５から配線領域１６に引き込んだ光ファイバ１２ａを、作業面側から引っ掛け部材６１に引っ掛けて背面側の余長吸収部６２へ引き込み、さらに、図３、図５に示すように、余長吸収部６２から配線ステージ３１上を経由して成端ユニット１３の作業面側へ引き出す。
【００２５】
例えば、配線ステージ３１から目的の光コネクタアダプタ９１までの光ファイバ１２ａの配線長が短ければ発生する余長１２ｃが長くなるため、図１中符号１２ｄのように、余長吸収部６２内での光ファイバ１２ａの配線長を長くして余長１２ｃを吸収する（この場合は、引っ掛け部材６１と配線ステージ３１とから垂れ下げるようにして湾曲配線された光ファイバ１２ａの下端位置が下方に下がることになる）。
なお、この光配線盤１０では、各成端ユニット１３に対応して設けられた余長吸収部６２が連通されていて、上下方向に連続してラック本体１７の下端に到達するダクト状の空間を形成しており、引っ掛け部材６１及び配線ステージ３１から下方への光ファイバ１２ａの垂れ下げ配線を自由に行えるから、光ファイバ１２ａの余長１２ｃが長い場合であっても、余長吸収部６２内での湾曲配線によって効率良く吸収できる。
【００２６】
図５において、余長吸収部６２の背面側に配置されている背面板１４ａやラック本体１７の内部フレーム１７ａ、並びに、余長吸収部６２の横に位置するラック本体１７の側部１７ｂには、手を入れるための窓（図示略）が開口されている。余長吸収部６２は、図５中、矢印Ｍ１、Ｍ２、Ｍ３で示すように、作業面側、背面側、ラック本体１７の側部１７ｂの３方向から手を入れることができ、光ファイバ１２ａの配線作業等を容易に行えるようになっている。
【００２７】
この光配線盤１０では、導入部１５から各成端ユニット１３（詳細には配線ステージ３１）までの距離の違いに起因する光ファイバ１２ａの余長の長さの差が、引っ掛け部材６１を経由した光ファイバ１２ａの配線ルートによって吸収され、しかも、各成端ユニット１３における配線ステージ３１から目的の光コネクタアダプタ９１までの距離の違いに起因する光ファイバ１２ａの余長１２ｃの長さの差が、余長吸収部６２での光ファイバ１２ａ（余長１２ｃ）の湾曲配線によって吸収される。さらに、この光配線盤１０の配線領域１６内では、多数本の光ファイバ１２ａを成端ユニット１３毎の配線ルートを以て整然と配線することができる。然るに、この光配線盤１０では、成端ユニット搭載部１４内の光モジュール１９の光コネクタアダプタ９１に対する光ファイバ１２ａの切り替え接続、例えば、光ファイバ１２ａを引き込む成端ユニット１３の変更等を伴う切り替え接続を行うにあたって、切り替え接続の作業対象の光ファイバ１２ａの発見や、取り出しを簡単に行うことができ、しかも、切り替え接続後の光ファイバ１２ａの余長処理も効率良く行える。
【００２８】
導入部１５から各成端ユニット１３までの距離の違いに起因する光ファイバ１２ａの配線長の差が引っ掛け部材６１を経由した光ファイバ１２ａの配線ルートによって吸収される構成であるから、光ファイバ１２ａの引き込み先の成端ユニット１３を変更を伴う切り替え接続では、光ファイバ１２ａを引っ掛ける引っ掛け部材６１を変更先の成端ユニット１３に対応する引っ掛け部材６１に変更し、余長吸収部６２に適宜、余長１２ｃを湾曲配線して収納すれば良く、何等特別な余長処理等を行うこと無く、変更後の成端ユニット１３に対する光ファイバ１２ａの配線を変更前と大差無く行うことができ、作業性を向上できる。
また、この光配線盤１０では、光ファイバ１２ａの増設等の新規配線についても、引っ掛け部材６１の選択と、余長吸収部６２での余長１２ｃの処理とによって簡単に行うことができる。光ファイバ１２ａの撤去も、対象の光ファイバ１２ａの発見や取り出しが簡単であることから、効率良く行うことができる。
【００２９】
図１、図３に示すように、さらに、この光配線盤１０の導入部１５では、コードケーブル１２の端末が複数本横並びに配列してケーブル固定具５１によって固定されているが、この光配線盤１０では、各コードケーブル１２端末に口出しされている光ファイバ１２ａの余長１２ｅを、導入部１５の側部付近に確保された空間である下部余長吸収部２０内に湾曲配線（湾曲処理）することによって、配線領域１６から各コードケーブル１２端末までの距離の違いに起因する光ファイバ１２ａの配線長の違いを吸収できるようになっている。
【００３０】
具体的には、導入部１５には、ケーブル固定具５１によってコードケーブル１２が横並びに配列固定されるケーブル配列部５２と、このケーブル配列部５２上の引っ掛け部材配列部５３とが設けられている。各コードケーブル１２端末に口出しされている光ファイバ１２ａは、引っ掛け部材配列部５３にて各コードケーブル１２に対応して横並びに複数配列設置された導入側引っ掛け部材５４上に引き上げるようにして引っ掛けて、導入部１５と配線領域１６との間に配線される。つまり、光ファイバ１２ａは、配線領域１６の引っ掛け部材６１と導入側引っ掛け部材５４とに引っ掛けて配線される。但し、光ファイバ１２ａは、コードケーブル１２の直上に位置する導入側引っ掛け部材５４から、下部余長吸収部２０側に位置する導入側引っ掛け部材５５を経由して引っ掛け部材６１との間に配線される。
なお、引っ掛け部材配列部５３は、横方向に延在された取り付け横部材５３ａの延在方向の任意の位置に、導入側引っ掛け部材５４、５５を固定できる構造になっている。
【００３１】
前記下部余長吸収部２０は配線領域１６の下側に位置して配線領域１６と連続する空間を形成している。配線領域１６の引っ掛け部材６１と導入側引っ掛け部材５５との間では、光ファイバ１２ａが、引っ掛け部材６１と導入側引っ掛け部材５５とから下方に垂れ下げるようにして湾曲配線され、前記導入側引っ掛け部材５５の下方にて該光ファイバ１２ａのＵ字状に湾曲された部分（下端。以下、この部分を「余長１２ｅ」と称する場合がある）が前記下部余長吸収部２０内に湾曲配線される。そして、この下部余長吸収部２０内での余長１２ｅの湾曲処理によって、配線領域１６から各コードケーブル１２端末までの距離の違いに起因する光ファイバ１２ａの配線長の違いが吸収される。
【００３２】
図１、図３、図４に示すように、成端ユニット搭載部１４上に設けられている配線棚２１は、この光配線盤１０と別の光配線盤との間に配線される光ファイバや、この光配線盤１０の設置場所（例えば中継局）に配線されている光ファイバ等である外部光ファイバ２２を光配線板１０内に引き込むためのものである。この光配線盤１０では、成端ユニット搭載部１４内の光モジュール１９の光コネクタアダプタ９１に対してコネクタ接続可能に成端されている外部光ファイバ２２を配線棚２１から引き込んで、光コネクタアダプタ９１に接続することが可能である。配線棚２１から引き込んだ外部光ファイバ２２は、配線棚２１から配線領域１６に引き込んで引っ掛け部材６１に引っ掛け、以下、光ファイバ１２ａと同様の配線ルートにて前記引っ掛け部材６１に対応する成端ユニット１３に配線することで、該成端ユニット１３内の目的の光モジュール１９の光コネクタアダプタ９１にコネクタ接続することができる。
【００３３】
なお、本発明は前述の実施の形態に限定されず、各種変更が可能である。
例えば、前記実施の形態では、余長吸収部や下部余長吸収部として、光ファイバの余長が湾曲配線される空間（湾曲配線領域）を例示したが、これに限定されず、例えば、余長を容器内に湾曲処理して収納する構成や、湾曲された巻き掛け面を有する部材への光ファイバの巻き掛けによって余長を吸収する構成等であっても良い。
成端ユニットとして、前記実施の形態では、光コネクタアダプタが取り付けられた光モジュールを配列収納することで、光ファイバをコネクタ接続可能に成端する光コネクタが設置される構成の成端ユニットを例示したが、成端ユニットとしてはこれに限定されず、本発明は、成端ユニットとして、例えば、光ファイバをコネクタ接続可能に成端する光コネクタ（光コネクタアダプタや光コネクタレセプタクル等）が横並びに取り付けられているパネル等を採用したものにも適用可能である。
【００３４】
【発明の効果】
以上述べたように、本発明の光配線盤によれば、導入部から導入された光ファイバを、上下方向に複数配列して設けられた各成端ユニットに対応して、それぞれ対応する成端ユニットの側部の配線ステージよりも上側となるように上下方向に配列して配置されている引っ掛け部材に引っ掛けるようになっている構成により、配線ステージとこれに対応する引っ掛け部材との位置関係を調整することで、導入部から各成端ユニットまでの前記光ファイバの配線長の違いを簡単に吸収できる。しかも、引っ掛け部材と配線ステージとの間に確保した前記光ファイバの余長を、各配線ステージ付近に設けられている余長吸収部に湾曲処理することで、各成端ユニットにおける光コネクタの設置位置の違いに起因する光ファイバの配線長の差を簡単に吸収できる。
然るに、導入部から成端ユニットの光コネクタまでの光ファイバの余長を効果的かつ簡単に吸収、処理でき、光ファイバの配線、光コネクタに対する切り替え接続、取り出し等の作業性を向上できる。結果、導入部から導入する光ファイバの長さをほぼ一律に揃えることが可能となり、光ファイバの長さをほぼ一律にする（請求項５）ことによって低コスト化などの効果が得られる。請求項２記載の発明によれば、導入側引っ掛け部材と引っ掛け部材との間に確保された光ファイバの余長を、導入部の側部付近に設けられている下部余長吸収部にて湾曲処理することによって、導入部に横並びに配列された光ファイバの導入部での配列位置から引っ掛け部材までの配線長の差を効果的に吸収することができ、成端ユニットが複数搭載されている成端ユニット搭載部内の光コネクタに対する光ファイバの切り替え接続等の作業の際に、光ファイバの導入部での配列位置から引っ掛け部材までの配線長の差の影響を殆ど受けること無く、光ファイバの余長処理を行うことができ、切り替え接続等の作業性を向上できる。
【図面の簡単な説明】
【図１】  本発明の実施の形態の光配線盤を示す正面図（作業面側から見た図）である。
【図２】  図１のＡ−Ａ線断面矢視図である。
【図３】  図１のＢ−Ｂ線断面矢視図である。
【図４】  図１の光配線盤の成端ユニットを示す正面図である。
【図５】  図４の成端ユニットの配線ステージ付近を示す平面図である。
【図６】  従来例の光配線盤を示す正面図である。
【符号の説明】
１０…光配線盤、１１ａ…光ファイバ（光ファイバケーブル側の光ファイバ）、１２ａ…光ファイバ（光ファイバコード、導入部側光ファイバ）、１３，１３ａ〜１３ｄ…成端ユニット、２０…下部余長吸収部、３１…配線ステージ、１４…成端ユニット搭載部、１５…導入部、５４，５５…導入側引っ掛け部材、６１，６１ａ〜６１ｄ…引っ掛け部材、６２…余長吸収部（湾曲配線領域）。
【図１】
0003983558.tif 000002
【図２】
0003983558.tif 000003
【図３】
0003983558.tif 000004
【図４】
0003983558.tif 000005
【図５】
0003983558.tif 000006
【図６】
0003983558.tif 000007